(57)【特許請求の範囲】
【請求項１】
古いウエブの終端部近傍に新しいウエブの始端部を重ねて接続したウエブを走行させるガイドロールと、
前記古いウエブの終端部側で、かつ、前記古いウエブの幅方向に配された吸引面を有する吸引装置と、
前記吸引面に非接着面が吸引されると共に前記古いウエブの終端部側に接着面が露出し、かつ、前記吸引面から先端部が突出した接着テープと、
前記接着テープの前記突出した先端部の接着面を、前記ガイドロールを走行する前記ウエブに押圧する回動自在な押圧ロールと、
（１）前記古いウエブの前記終端部が、前記ガイドロールを通過する前に、前記押圧ロールによって前記接着テープの前記先端部の前記接着面を、前記古いウエブに押圧して貼り付けると共に、前記吸引装置による前記接着テープの吸引を停止させ、（２）前記押圧ロールの押圧を前記古いウエブの前記終端部が通過して前記新しいウエブになるまで継続させて、前記古いウエブのテールを前記新しいウエブに前記接着テープで固定する制御部と、
前記接着テープを吸引した前記吸引装置と前記押圧ロールを、待機位置からテープ貼り付け位置に回動させる回動部材と、
を有し、
前記制御部は、前記古いウエブの前記終端部が前記ガイドロールを通過するまでに、前記吸引装置と前記押圧ロールを前記待機位置から前記テープ貼り付け位置に前記回動部材によって回動させる、
テープ貼り付け装置。
【請求項２】
前記接着テープは、予め所定の長さに切断されて前記吸引装置の前記吸引面に吸引されている、
請求項１に記載のテープ貼り付け装置。
【請求項３】
前記古いウエブの終端部側と前記吸引面との間に遮断板が配されている、
請求項１に記載のテープ貼り付け装置。
【請求項４】
前記押圧ロールは、スポンジロールである、
請求項１に記載のテープ貼り付け装置。
【請求項５】
前記回動部材は、ロータリーアクチュエーターによって回転する、
請求項１に記載のテープ貼り付け装置。
【請求項６】
前記ガイドロールは、金属ロールである、
請求項１に記載のテープ貼り付け装置。
【請求項７】
前記接着テープは、前記吸引装置の前記吸引面に前記待機位置で吸引して固定される、
請求項２に記載のテープ貼り付け装置。
【請求項８】
前記接着テープは、前記吸引装置の前記吸引面に所定間隔を開けて複数枚並べて吸引されている、
請求項２に記載のテープ貼り付け装置。
【請求項９】
前記新しいウエブの前記始端部と前記古いウエブとの継目は、両面接着テープで固定され、
前記古いウエブの前記テールの長さは、前記両面接着テープの位置から所定長さに設定されている、
請求項１に記載のテープ貼り付け装置。
【請求項１０】
走行する前記古いウエブの終端部の位置を追跡する接続追跡部をさらに有し、
前記接続追跡部が、前記古いウエブの前記終端部が前記ガイドロールを通過する所定時間前、又は、所定距離前に、前記制御部に検出信号を出力し、
前記制御部は、前記検出信号が入力した時に前記押圧ロールで前記接着テープを押圧する、
請求項１に記載のテープ貼り付け装置。
【発明の詳細な説明】
【技術分野】
【０００１】
本発明は、古いウエブと新しいウエブとを接続する場合に、古いウエブから垂れ下がったテールを新しいウエブに接着テープによって固定するテープ貼り付け装置に関するものである。
【背景技術】
【０００２】
紙、布、フィルム、金属箔などのウエブが巻芯に巻き付けられ、ウエブがこの巻芯から巻出し装置によって巻き出された後に、塗工装置によって塗工液を塗工したり、熱処理装置において熱処理したりしている。
【０００３】
この巻出し装置において、古い巻芯からウエブ（以下、「古いウエブ」という）が全て巻き出される前に、新しい巻芯に巻き付けられているウエブ（以下、「新しいウエブ」という）の始端部を古いウエブの終端部を両面接着テープによって接続している（例えば、特許文献１，２，３参照）。
【０００４】
このときに、古いウエブの終端部は、両面接着テープの位置と一致しないため、古いウエブ側にテールと呼ばれる余分な部分が発生する。このテールは、塗工装置において塗工ヘッドで塗工液が付着したり、熱処理装置の熱処理室内部でばたつきを助長する。
【０００５】
一方、古いウエブと新しいウエブの継目は、上記したように両面接着テープによって接続されているだけであるため、他の箇所より強度的に弱いので、古いウエブと新しいウエブの継目を補強テープで補強する補強テープ貼り装置が提案されている（特許文献４参照）。
【先行技術文献】
【特許文献】
【０００６】
【特許文献１】特開２００１−１６３４８７号公報
【特許文献２】特開２００１−１７１８７２号公報
【特許文献３】特開２００１−１１４４５７号公報
【特許文献４】特開２０１１−２４６２７７号公報
【発明の概要】
【発明が解決しようとする課題】
【０００７】
上記補強テープ貼り装置は、補強テープロール、カッター、始端部保持ロール、ニップロールから構成され、補強テープロールから引き出された補強テープをカッターによって切断し、この補強テープの始端部を保持ロールによってウエブに弱く貼り付けた後に、ニップロールで押圧して補強テープを固定している。
【０００８】
しかし、この補強テープ貼り付け装置は、古いウエブのテールを新しいウエブに貼り付けることを目的としていないため、補強はできてもテールの終端部が新しいウエブから垂れ下がることがある。
【０００９】
また、保持ロールが、補強テープのウエブに対する粘着強度より弱い粘着強度を有するロールであって、この保持ロールを補強テープに弱粘着することにより、保持ロールがウエブから離れていても補強テープをロールに付着させている状態に保ち、順次補強テープを貼り付けることができる（特許文献４の段落００３５参照）。ところが、このような補強テープのウエブに対する粘着強度より弱い粘着強度を有するロールを準備することが困難であり、特許文献４においても具体的にその構成は記載されていない。また、この保持ロールを準備できても、補強テープ貼り装置を長年使用しているとその粘着力が劣化し、補強テープを順次貼り付けることができなくなるという問題点がある。
【００１０】
そこで、本発明は上記問題点に鑑み、古いウエブと新しいウエブとの継目において、古いウエブのテールを接着テープによって新しいウエブに貼り付けるテープ貼り付け装置を提供することを目的とする。
【課題を解決するための手段】
【００１１】
本発明は、古いウエブの終端部近傍に新しいウエブの始端部を重ねて接続したウエブを走行させるガイドロールと、前記古いウエブの終端部側で、かつ、前記古いウエブの幅方向に配された吸引面を有する吸引装置と、前記吸引面に非接着面が吸引されると共に前記古いウエブの終端部側に接着面が露出し、かつ、前記吸引面から先端部が突出した接着テープと、前記接着テープの前記突出した先端部の接着面を、前記ガイドロールを走行する前記ウエブに押圧する回動自在な押圧ロールと、（１）前記古いウエブの前記終端部が、前記ガイドロールを通過する前に、前記押圧ロールによって前記接着テープの前記先端部の前記接着面を、前記古いウエブに押圧して貼り付けると共に、前記吸引装置による前記接着テープの吸引を停止させ、（２）前記押圧ロールの押圧を前記古いウエブの前記終端部が通過して前記新しいウエブになるまで継続させて、前記古いウエブのテールを前記新しいウエブに前記接着テープで固定する制御部と、前記接着テープを吸引した前記吸引装置と前記押圧ロールを、待機位置からテープ貼り付け位置に回動させる回動部材と、を有し、前記制御部は、前記古いウエブの前記終端部が前記ガイドロールを通過するまでに、前記吸引装置と前記押圧ロールを前記待機位置から前記テープ貼り付け位置に前記回動部材によって回動させる、テープ貼り付け装置である。
【発明の効果】
【００１２】
本発明によれば、接着テープによって古いウエブのテールを新しいウエブに固定できる。
【図面の簡単な説明】
【００１３】
【図１】本発明の一実施形態を示すテープ貼り付け装置の待機位置の側面図である。
【図２】テープ貼り付け装置の待機位置の正面図である。
【図３】テープ貼り付け装置のテープ貼り付け位置（１）の側面図である。
【図４】テープ貼り付け装置のテープ貼り付け位置（１）の正面図である。
【図５】テープ貼り付け装置のテープ貼り付け位置（２）の側面図である。
【図６】テープ貼り付け装置のテープ貼り付け位置（２）の正面図である。
【図７】古いウエブと新しいウエブをつないだ状態の斜視図である。
【図８】テープ貼り付け装置のブロック図である。
【図９】古いウエブのテールを上下反転させるための説明図である。
【発明を実施するための形態】
【００１４】
以下、本発明の一実施形態のテープ貼り付け装置１０について図１〜図８に基づいて説明する。
【００１５】
本実施形態におけるウエブＷとしては、例えば、紙、フィルム、布（例えば、織布）、金属箔、金属網などであり、具体的には、工業用両面接着テープ、電池の材料などである。
【００１６】
特許文献１〜３に示すように、長尺状のウエブＷは、巻出し装置から巻き出され、この巻き出されるときに、古い巻芯に巻き付けられた古いウエブＷ１の終端部と、新しい巻芯に巻き付けられた新しいウエブＷ２の始端部が、両面接着テープ１１によって固定され、その後に古いウエブＷ１がカッターによって切断される。これによって、古いウエブＷ１に新しいウエブＷ２を重ねて固定できるが、両面接着テープ１１によって固定された位置から古いウエブＷ１の終端部までは新しいウエブＷ２に固定されていない。以下、この固定されていない古いウエブＷ１の部分を「テールＴ」と呼ぶ。なお、本明細書では古いウエブＷ１と新しいウエブＷ２とが接続された状態を単に「ウエブＷ」と呼ぶ。
【００１７】
古いウエブＷ１と新しいウエブＷ２を接続したウエブＷは、例えば走行速度５〜８０ｍ／分で走行し、塗工装置によって塗工液を塗工した後に、熱処理装置によって塗工液を乾燥させる。しかし、「解決しようとする課題」で説明したように、テールＴが新しいウエブＷ２から垂れ下がった状態であると、塗工液が付着したり、熱処理装置内部でばたついたりするため、本実施形態のテープ貼り付け装置１０は、巻出し装置の後の工程で、かつ、塗工装置よりも前の工程に配置して、テールＴを新しいウエブＷ２に接着テープ１２で固定することを目的とする。
【００１８】
（１）テープ貼り付け装置１０の構造
まず、テープ貼り付け装置１０の構造について、図１と図２に基づいて説明する。図１はテープ貼り付け装置１０の待機位置における側面図、図２は同じく正面図である。なお、「待機位置」とは、テープ貼り付け装置１０が接着テープ１２をウエブＷに貼り付けないときの位置であり、この待機位置から接着テープ１２をウエブＷに貼り付ける「テープ貼り付け位置」に移動する。
【００１９】
テープ貼り付け装置１０は、ガイドロール１４、左右一対の回転部材１６，１６、吸引装置２８、押圧ロール３２、遮断板４２を有する。
【００２０】
ガイドロール１４は、水平に走行している古いウエブＷ１と新しいウエブＷ２が接続されたウエブＷの上下を反転させるものであり、回転軸が水平であって、金属ロールより形成されている。なお、この回転軸は、テープ貼り付け装置１０の不図示の左右一対の支持脚によって回転自在に支持されている
左右一対の回転部材１６，１６は、ガイドロール１４の下方に配され、前記した不図示の左右一対の支持脚によって回転自在に支持されている。左右一対の回転部材１６は、回転軸２４を中心として第１支持腕１８、第２支持腕２０、第３支持腕２２がそれぞれ３方向に突出し、この回転軸２４を中心に回動するものであり、ロータリーアクチュエータ２６によって回転する。
【００２１】
左右一対の第１支持腕１８，１８の間には、吸引装置（サクションボックス）２８が設けられている。吸引装置２８は、直方体であり、その外面が吸引面３０を形成している。吸引面３０は、直方体の吸引装置２８よりも若干大きく形成され、図１の外側下方側に突出し、吸引装置２８を側面から見た場合に三角のくちばし状に形成されている。吸引装置２８の吸引面３０には、図２に示すように複数の吸引孔４０が開口している。但し、この吸引孔４０は、接着テープ１２の非接着面を吸引する場所だけに開口し、３枚の接着テープ１２を吸引する場合には、図２に示すように、長方形状の吸引面３０の中央部、左右両側にそれぞれ開口している。
【００２２】
左右一対の第２支持腕２０，２０の間には、押圧ロール３２が吸引装置２８と隣接するように配されている。すなわち、第２支持腕２０のそれぞれに、エアシリンダーよりなる保持部３４が設けられ、この保持部３４の先端に回転自在に押圧ロール３２が設けられている。この押圧ロール３２は、エアシリンダーの先端部に回転自在に取り付けられた金属製の芯３６に筒状の３個のスポンジロール３８が取り付けられている。３個のスポンジロール３８は、図２に示すように、芯３６の中央部、左右両側部に３か所それぞれ設けられている。これら位置は、接着テープ１２を取り付ける位置に対応している。
【００２３】
左右一対の第３支持腕２２は、第１支持腕１８と第２支持腕２０に対するバランサーの役割を果たしている。
【００２４】
遮断板４２は、回転部材１６とガイドロール１４の間、すなわちガイドロール１４によって走行する古いウエブＷ１の終端部の下方に、水平に配されている。
【００２５】
（２）テープ貼り付け装置１０の電気的構成
次に、テープ貼り付け装置１０の電気的構成について図８のブロック図に基づいて説明する。
【００２６】
コンピュータよりなる制御部４４には、吸引部４６、走行部４８、回転部５０、押圧部５２が接続されている。
【００２７】
吸引部４６は、コンプレッサーによって空気を吸引し、吸引装置２８の吸引面３０で接着テープ１２を吸引する。
【００２８】
走行部４８は、モータ制御部と接続追跡部を有し、ウエブＷを所定の走行速度で走行させるモータのモータ制御部からの速度信号に基づいて、接続追跡部は古いウエブＷ１の終端部の位置を常に追跡し、古いウエブＷ１の終端部がガイドロール１４を通過する所定時間前（例えば、１〜２秒前）、又は、所定距離前（例えば、１．０〜１０．０ｃｍ前）に制御部４４へ検出信号を出力する。走行部４８の接続追跡部が、古いウエブＷ１の終端部を追跡する方法としては、ウエブＷの走行速度から走行距離を割り出し、ガイドロール１４を通過する所定時間前、又は、所定距離前に検出信号を出力する。
【００２９】
回転部５０は、制御部４４の指示によって左右一対の回転部材１６，１６をロータリーアクチュエータ２６によって待機位置からテープ貼り付け位置に回転させる。
【００３０】
押圧部５２は、制御部４４からの指示によってエアシリンダーよりなる保持部３４を駆動させ、押圧ロール３２をガイドロール１４に押圧する。
【００３１】
（３）テープ貼り付け装置１０の動作
次に、テープ貼り付け装置１０の動作について４段階に分けて説明する。
【００３２】
（３−１）第１段階
まず、テープ貼り付け装置１０の動作の第１段階（待機位置）について図１と図２と図７に基づいて説明する。
【００３３】
第１段階において、図１に示すように、待機位置において回転部材１６の第１支持腕１８が水平方向にあり、第２支持腕２０は垂直方向にある。これにより、吸引装置２８の吸引面３０は垂直状態にあり、この垂直状態で吸引を開始する。そして、図２に示すように、作業者が吸引面３０の左側、中央、右側に接着テープ１２の非接着面を吸引させる。この場合に、図１に示すように、３枚の接着テープ１２の先端部は、吸引面３０のくちばし部分よりも突出した状態にして吸引させて、図２に示すように、３枚の接着テープ１２の先端部は、押圧ロール３２における垂直方向の接線位置Ｓよりも下に垂れ下がるようにしておく。なお、吸引装置２８に取り付ける接着テープ１２は、図７に示すように古いウエブＷ１のテールＴを新しいウエブＷ２に貼り付けることができる長さに予め切断しておく。
【００３４】
（３−２）第２段階
次に、テープ貼り付け装置１０の動作の第２段階（テープ貼り付け位置（１））について図３と図４に基づいて説明する。
【００３５】
第２段階において、制御部４４は、左右一対の回転部材１６，１６をロータリーアクチュエータ２６を用いて待機位置からテープ貼り付け位置に反時計回りに回転させる。すると、図３に示すように、吸引装置２８の吸引面３０は、垂直状態から水平状態に回転して遮断板４２の下方に位置し、また、押圧ロール３２はガイドロール１４の下方に位置する。このときに、図３、図４に示すように、接着テープ１２は吸引面３０に吸引され、かつ、接着テープ１２の先端部の非接着面は押圧ロール３２の上部に載置された状態となる。
【００３６】
（３−３）第３段階
次に、テープ貼り付け装置１０の動作の第３段階（テープ貼り付け位置（２））について図５と図６と図７に基づいて説明する。
【００３７】
第３段階において、走行部４８から検出信号が制御部４４に入力するときは、図５に示すように、古いウエブＷ１のテールＴは新しいウエブＷ２から垂れ下がり遮断板４２に載った状態である。そのため、制御部４４は、押圧部５２によって保持部（エアーシリンダー）３４を突出させると、接着テープ１２の接着面がガイドロール１４を移動している古いウエブＷ１の終端部近傍から貼り付けられ、このテールＴの終端部を越えて新しいウエブＷ２に至るまで貼り付けられる。これによって、図７に示すように、古いウエブＷ１のテールＴが新しいウエブＷ２に固定される。なお、制御部４４は、押圧ロール３２を保持部３４によって突出させるときに、吸引装置２８による接着テープ１２の吸引を停止させる。
【００３８】
（３−４）第４段階
次に、テープ貼り付け装置１０の動作の第４段階について説明する。
【００３９】
接着テープ１２の貼り付けが終了すると、制御部４４は、押圧ロール３２を保持部３４によって下方に移動させ、その後に左右一対の回転部材１６，１６をロータリーアクチュエータ２６を用いてテープ貼り付け位置から待機位置まで反時計回りに回転させる。これによって、テープ貼り付け装置１０は待機位置に復帰できる。
【００４０】
（４）効果
本実施形態のテープ貼り付け装置１０であると、古いウエブＷ１のテールＴを新しいウエブＷ２に接着テープ１２によって貼り付けることができる。そのため、古いウエブＷ２のテールＴが新しいウエブＷ１から垂れ下がらず、塗工時に塗工液が付着したり、熱処理装置内部でばたついたりしない。
【００４１】
また、押圧ロール３２は、スポンジロール３８によって形成されているため、押圧ロール３２をガイドロール１４に押圧した場合に、スポンジの柔軟性によりガイドロール１４の外周面に合わせて接着テープ１２と共に変形して、古いウエブＷ１に接着テープ１２の接着面を完全に貼り付けることができる。
【００４２】
また、回転部材１６をロータリーアクチュエータ２６によって回転支持しているため、押圧ロール３２をガイドロール１４に押圧したときに、ロータリーアクチュエータ２６のクッション性により、接着テープ１２を古いウエブＷ１に合わせて貼り付けることができる。
【００４３】
また、遮断板４２があるため、古いウエブＷ１から垂れ下がったテールＴが、吸引面３０に吸引されている接着テープ１２の接着面に触れることがない。
【００４４】
（５）変更例
上記実施形態では、接着テープ１２を３枚所定間隔を開けて貼り付けたが、３枚に限らず２枚、又は、４枚以上貼り付けてもよい。また、大きい幅のテープを１枚貼り付けてもよい。
【００４５】
また、上記実施形態では、押圧ロール３２としてスポンジロール３８を用いたが、ゴムロールであってもよい。
【００４６】
また、上記実施形態では、回転部材１６を回転させる手段としてロータリーアクチュエータ２６を用いたが、これに代えてモータでもよい。
【００４７】
また、上記実施形態では、吸引装置２８の吸引面３０において、吸引孔４０は接着テープ１２を貼り付ける位置のみに開口したが、これに代えて吸引孔４０を全面に開口させてもよい。
【００４８】
また、上記実施形態では、吸引装置２８を垂直状態から水平状態に回転させ、吸引装置２８が水平状態をテープ貼り付け位置としたが、これに代えて、吸引装置２８の吸引面３０が垂直状態であっても接着テープ１２を貼り付けてもよい。
【００４９】
また、上記実施形態では、図２に示すように、スポンジロール３８を芯３６の中央部、左右両側部の３か所に設けたが、これに代えて、芯３６の全幅にわたって１個のスポンジロール３８を設けてもよい。
【００５０】
また、上記実施形態では、古いウエブＷ１のテールＴが、新しいウエブＷ２に垂れ下がった状態でテープ貼り付け装置１０に走行してきたが、巻出し装置の巻き出し状態によっては新しいウエブＷ２の上部に古いウエブＷ１のテールＴが位置している場合がある。このときは、図９に示すように、反転ロール５４によって古いウエブＷ１と新しいウエブＷ２とを上下反転させた後に、本実施形態のテープ貼り付け装置１０を配する。
【００５１】
また、上記実施形態では、押圧ロール３２と吸引装置２８を回転部材１６によって回転させて、待機位置からテープ貼り付け位置に移動させたが、これに代えて、押圧ロール３２と吸引装置２８を一体に上下動できるように形成し、待機位置においてはウエブＷの走行路の下方に位置させ、接着テープ１２を貼り付ける場合には押圧ロール３２と吸引装置２８をエアシリンダーによって一体にしてテープ貼り付け位置に上昇させてもよい。
【００５２】
上記では本発明の一実施形態を説明したが、この実施形態は、例として提示したものであり、発明の範囲を限定することは意図していない。これら新規な実施形態は、その他の様々な形態で実施されることが可能であり、発明の主旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００５３】
１０・・・テープ貼り付け装置、１２・・・接着テープ１２、１４・・・ガイドロール、１６・・・回転部材、１８・・・第１支持腕、２０・・・第２支持腕、２４・・・回転軸、２６・・・ロータリーアクチュエータ、２８・・・吸引装置、３０・・・吸引面、３２・・・押圧ロール、３４・・・保持部、３６・・・芯、３８・・・スポンジロール、４０・・・吸引孔、４２・・・遮断板、４４・・・制御部
【図１】
0006017188.tif 000002
【図２】
0006017188.tif 000003
【図３】
0006017188.tif 000004
【図４】
0006017188.tif 000005
【図５】
0006017188.tif 000006
【図６】
0006017188.tif 000007
【図７】
0006017188.tif 000008
【図８】
0006017188.tif 000009
【図９】
0006017188.tif 000010